(57)【要約】【課題】 自動車の運転席のハンドルに簡単に取付取外しができて、使用者に対しての机の高さと角度が調節できるハンドル取付デスクを提供する。【解決手段】 １つの手段として、フックにより取付体１をハンドル３に引掛け、次に取付体１に机体２を引掛ける位置により机の高さを調節し、机体２の角度調節溝１１に角度調節棒４３を引掛ける位置によって机の角度を調節することができるハンドル取付デスク。もう一つの手段として、可動式フック６ｂにより垂直面１ｂをハンドルに引掛け、可動式フック６ｂの長さを変えることで机の高さを調節し、角度調整棒１０ｂの固定溝１１ｂに引掛ける位置によって垂直面１ｂと水平面２ｂの開く角度を変え、机の角度を調節することができるハンドル取付デスク。【選択図】 図１
2006015780.tif 000002
【特許請求の範囲】
【請求項１】
自動車運転席のハンドルにフックにより吊着し自動車内運転席で使用することができ、使用者に対しての机の高さと角度が調節できるハンドル取付デスク。
【請求項２】
請求項１に記載されたハンドル取付デスクにおいて、本体が取付体と机体からなり、前記取付体をフックによりハンドルに吊着し、その前記取付体に前記机体を取付ることで前記机体の設置を行い、前記机体の取付る位置によって机の高さを調節することができ、前記机体には角度調節板、角度調節棒、角度調節溝を設け、前記角度調節棒を前記角度調節溝に引掛けることにより角度を調節することができるハンドル取付デスク。
【請求項３】
請求項１に記載されたハンドル取付デスクにおいて、本体が垂直面と水平面の2面からなり、前記垂直面は２つ以上の可動式フックとハンドル固定部によってハンドルに取付けられ、可動式フックの長さを変えることで机の高さの調節ができ、前記垂直面とその前記垂直面に蝶着された前記水平面の2面の角度を変えることにより机の角度調節ができる２面式のハンドル取付デスク。
【発明の詳細な説明】
【技術分野】
【０００１】
本発明は、自動車内運転席でコンピューター作業や筆記作業、食事を行う時等に使用する簡易取付タイプの机である。
【背景技術】
【０００２】
従来の自動車内で使用する机には、長方形板一枚で出来ていて4本の角柱棒材によってハンドルに固定されていたものがある（例えば、特許文献６参照。）。
また、自動車内で使用するパソコン操作場や作業机としてハンドル以外の場所に設置するものもある（例えば、特許文献１、特許文献２参照。）。
他にも、ハンドルに係合し机の高さや角度調節ができるものがあるが、机の高さ調節をする場合ハンドル内側に設置されているクラクションなどが障害となり、机の高さ調節はクラクションの配置やクラクションを支える部品により狭い範囲となってしまうものもある（例えば、特許文献３参照。）。
そして、フックによりハンドルに吊着し、使用者に対する机の角度を調節できるものもあるが、机の高さを調節する機能が備わっていないものである。（例えば、特許文献４、特許文献５参照）
【特許文献１】特許公開平５−１１２１８３号 公報
【特許文献２】特許公開平６−９２１７０号 公報
【特許文献３】特許公開２００２−１０４０４４号 公報
【特許文献４】特許公開２００２−２３４３９７号 公報
【特許文献５】特許公開２００３−２７６４９１号 公報
【特許文献６】実用新案公開６−６５０８０号 公報
【発明の開示】
【発明が解決しようとする課題】
【０００３】
以上に述べた自動車内で使用する机では、机の角度を変えることができず食べ物や飲み物、二つ折りコンピューター等の物を安定して置くことができなかったり、机を自動車内で使用する場合、取付取外し作業に時間がかかるものであった。また、机の高さを調節する場合ハンドル内側に設置されているクラクションが障害となり机の高さ調節が狭い範囲だけとなってしまうものであった。そして、フックによりハンドルに吊着する机であるが使用者に対する机の角度を調節できても机の高さを調節できないものであった。
【０００４】
本発明は、このような従来の自動車内で使用する机が有していた机の角度が調節できないことや取付取外し作業が複雑で時間がかかること、机の高さの調節範囲が狭いこと、机の高さが調節できないことの問題点を解決するものであり、フックによりハンドルに簡単に吊着することができ、机の高さや角度の調節の範囲も広く、自動車内でコンピューターを使用する時や筆記作業、食事を行う時に使用するための簡易取付タイプの机を提供することを目的とするものである。
【課題を解決するための手段】
【０００５】
そして、本発明は上記目的を達成するために自動車運転席のハンドルにフックにより吊着し自動車内運転席で使用することができ、使用者に対しての机の高さと角度が調節できるようにしたハンドル取付デスクである。
【０００６】
第１の課題解決手段は、本体が取付体と机体からなり、取付体をフックによりハンドルに吊着し、その取付体に机体を取付ることで机体の設置を行い、机体の取付る位置によって机の高さを調節することができ、机体には角度調節板、角度調節棒、角度調節溝を設け、角度調節棒を角度調節溝に引掛けることにより角度を調節することができるハンドル取付デスクである。
【０００７】
第２の課題解決手段は、本体が垂直面と水平面の2面からなり、垂直面は２つ以上の可動式フックとハンドル固定部によってハンドルに取付けられ、可動式フックの長さを変えることで机の高さ調節ができ、垂直面とその垂直面に蝶着された水平面の2面の角度を変えることにより机の角度調節ができる２面式のハンドル取付デスクである。
【０００８】
第１の課題解決手段による作用は次の通りである。すなわち、取付体を2つ以上のフックによりハンドルに吊着し、ハンドルに２つの垂直板のクッションＡと水平板ＢのクッションＢを添着させることで取付体を安定して取付け、その取付体に机体を引掛けフックにより取付る。引掛けフックの引掛ける位置により机の高さ調節ができ、デスク板の裏面の角度調節溝に角度調節棒を引掛けることにより机の角度を調節することで使用者に対する机の角度を変えることができ、用途により机の高さや角度を変え利用することができる。
【０００９】
また、第２の課題解決手段による作用は次の通りである。すなわち、垂直面から伸びた二つ以上の可動式フックをハンドル上部に吊着し、ハンドル固定部をハンドル左側部、ハンドル右側部にそれぞれ添着させることにより、垂直面を安定して取り付け、可動式フックの長さを調整することにより机の位置を上下に動かすことができ、垂直面とその垂直面に蝶着された水平面の2面の角度を調節することで使用者に対する机の角度を変えることができ、用途により机の高さや角度を変え利用することができる。
【発明の効果】
【００１０】
上述したように本発明のハンドル取付デスクは、自動車運転席のハンドルにフックにより簡単に取付取外しができて使用者に対しての机の高さと角度が調節もでき、自動車運転席においてコンピューター作業、筆記作業、食事に利用することができる簡易デスクを提供できる。
【発明を実施するための最良の形態】
【００１１】
以下、本発明の実施の形態を図１〜図１０に基づいて説明する。
【００１２】
図１、図２、図３においては、１は取付体で、２つのフック３１と２つの垂直板３０、水平板Ａ２０、水平板Ｂ２１、クッションＡ５０、クッションＢ５１から構成される。２つの垂直板３０と水平板Ａ２０、水平板Ｂ２１は、軸着されていて回動するようになっている。また、垂直板３０は、一定間隔で引掛けフック４２を引掛けるために引掛け穴３１が設けられている。クッションＡ５０は、垂直板３０に接着され、クッションＢ５１は、水平板Ｂ２１に接着されている。
【００１３】
また、２は机体でデスク板１０、角度調節溝１１、ストッパー１２、角度調節板４０、引掛け板４１、引掛けフック４２、角度調節棒４３から構成される。引掛けフック４２は引掛け板４１より上下左右の４つの位置で突設している。また、デスク板１０と引掛け板４１、引掛け板４１と角度調節板４０は、それぞれ蝶着されていて回動するようになっている。デスク板１０の裏面には角度調節溝１１が設けられていて、デスク板１０の表面の使用者側の一辺には、ストッパーが設けられている。
【００１４】
以下に、上記ハンドル取付デスクの動作を説明する。取付体１は２つのフック３１によりハンドル３に吊着され、２つの垂直板３０の各々のクッションＡ５０がハンドル３上部に添着し水平板Ｂ２１のクッションＢ５１がハンドル３下部に添着することにより、取付体１はハンドル３に取付られる。この時、クッションＡ５０、クッションＢ５１がハンドル３に添着しそのクッションの厚さにより、ハンドル３の内側に設置されているクラクションにハンドル取付デスク本体が接触しクラクションが鳴るようなことの無いようになっている。また、ハンドル取付デスクを使用した後は図１０のように、取付体１は、垂直板３０と水平板Ａ２０、水平板Ｂ２１が軸着されていることから、折りたたみ、棒状にして収納することもできる。
【００１５】
机体２のデスク板１０と引掛け板４１、引掛け板４１と角度調節板４０のそれぞれの板は蝶着され回動できるようになっていて、角度調節板４０の角度調節棒４３をデスク板１０の裏面にある角度調節溝１１に引掛けることで、デスク板１０と引掛け板４１と角度調節板４０が三角形の形状をとり、机となるデスク板１０の使用者に対する角度が作られる。また、角度調節溝１１に角度調節棒４３を引掛ける位置を変えることによって、使用者とデスク板１０の角度を調節することができる。
【００１６】
このようにして、ハンドル取付デスクは、デスク板１０の上にコンピューターや食べ物を置く時、筆記作業を行う時の机として使用することができる。また、図８、図９のように机体２のデスク板を伸縮式の机とすることで車内のスペースをより有効に活用することもできる。
【００１７】
図５においては、１ｂは垂直面であり可動式フック６ｂによってハンドルに吊着され、垂直面１ｂにはフック入れ７ｂが左右対称に２つ固定され、その中に可動式フック６ｂが一定範囲摺動可能な状態で内設されている。また、垂直面１ｂにはハンドル固定部カバー９ｂが左右対称に２つ設けられ、その中にハンドル固定部８ｂが一定範囲摺動するように内設されている。
【００１８】
水平面２ｂは、垂直面１ｂに連結部３ｂと連結棒４ｂによって蝶着されていて回動するようになっている。角度調整棒１０ｂは垂直面１ｂに軸着されていて回動し、水平面２ｂの裏面に接着している固定溝１１ｂの溝に引っ掛かるようになっている。
【００１９】
以下に、上記2面式のハンドル取付デスクの動作を説明する。本体は、２つの可動式フック６ｂによってハンドルに引掛けられ、ハンドル固定部８ｂ２つがハンドルの左側部と右側部に密着し、垂直面１ｂはハンドルに取付けられる。
【００２０】
そして、図６ように可動式フック６ｂを固定位置から横回転させて上下移動ができる摺動位置に動かし、フック入れ７ｂ内を摺動させ、また図７のように可動式フック６ｂを横回転させ固定位置に戻すことにより可動式フック６ｂが固定される。このようにフック入れ７ｂからの突出する長さを変えることができ使用者に対する机の高さを調節することができる。また、角度調整棒１０ｂを固定溝１１ｂに引掛ける位置を変えることで垂直面１ｂと水平面２ｂの2面の角度が変わり使用者に対する机の角度も変えることができる。
【００２１】
可動式フック６ｂのフック入れ７ｂからの突出する長さを調節する方法は、図６のように可動式フック６ｂを縦溝１４ｂの位置に置き、縦溝１４ｂ内を上下に摺動させることにより可動式フック６ｂの突出する長さを変えることができる。また、図７のように可動式フック６ｂを横回転させてフック入れ７ｂの横溝１３ｂにフック先端１２ｂを嵌め込むことにより可動式フック６ｂを固定させることができる。
【００２２】
２面式のハンドル取付デスクは、水平面２ｂの上にコンピューターや食べ物を置く時、筆記作業を行う時の机として使用することができる。また、図８、図９のように水平面２ｂを伸縮式の机とすることで車内のスペースをより有効に活用することもできる。
【００２３】
上記2つのハンドル取付デスクの机を伸縮式とする場合は、図８、図９のように、机をスライドする2面の形状とし、机スライド部１ｃが机固定部２ｃと折り返し部４ｃの間を摺動することにより伸縮する。また、つまみ７ｃを回転させ突起６ｃを机スライド部１ｃの調節穴５ｃねじ込むことによって机を固定することができる。
【図面の簡単な説明】
【００２４】
【図１】ハンドル取付デスクの斜視図
【図２】ハンドル取付デスクの正面図
【図３】ハンドル取付デスクの左側面図
【図４】コンピューター使用時ハンドル取付デスクの左側面図
【図５】２面式のハンドル取付デスクの正面図
【図６】フックとフック入れの摺動位置の背面図
【図７】フックとフック入れの固定位置の背面図
【図８】伸縮式の机の平面図
【図９】伸縮式の机の左側面図
【図１０】取付体折りたたみ図
【符号の説明】
【００２５】
１ 取付体
２ 机体
３ ハンドル
１０ デスク板
１１ 角度調節溝
１２ ストッパー
２０ 水平板Ａ
２１ 水平板Ｂ
３０ 垂直板
３１ 引掛け穴
３２ 止め軸
４０ 角度調節板
４１ 引掛け板
４２ 引掛けフック
４３ 角度調節棒
５０ クッションＡ
５１ クッションＢ
１ｂ 垂直面
２ｂ 水平面
３ｂ 連結部
４ｂ 連結棒
５ｂ 止め部
６ｂ 可動式フック
７ｂ フック入れ
８ｂ ハンドル固定部
９ｂ ハンドル固定部カバー
１０ｂ 角度調整棒
１１ｂ 固定溝
１２ｂ フック先端
１３ｂ 横溝
１４ｂ 縦溝
１ｃ 机スライド部
２ｃ 机固定部
３ｃ ストッパー
４ｃ 折り返し部
５ｃ 調節穴
６ｃ 突起
７ｃ つまみ
【図１】
2006015780.tif 000003
【図２】
2006015780.tif 000004
【図３】
2006015780.tif 000005
【図４】
2006015780.tif 000006
【図５】
2006015780.tif 000007
【図６】
2006015780.tif 000008
【図７】
2006015780.tif 000009
【図８】
2006015780.tif 000010
【図９】
2006015780.tif 000011
【図１０】
2006015780.tif 000012